(57)【特許請求の範囲】
【請求項１】
建物壁に設けられた中空層と、中空層の下部の下部体によって画成されていると共に建物内に連通する下部内側通路と、下部体によって画成されていると共に建物外に連通する下部外側通路と、中空層の上部の上部体によって画成されていると共に建物内に連通する上部内側通路と、上部体によって画成されていると共に建物外に連通する上部外側通路と、前記中空層が設けられる階よりも下階に設けられた下階の中空層とを具備していると共に、下部内側通路が建物内の部屋に開口して連通しており、下部外側通路が建物外の外気に開口して連通しており、上部内側通路が空調機、熱交換器又は送風機に連通しており、上部外側通路が建物外の外気に開口して連通している建物の下部体に配されるようになっており、中空層と下部内側通路との連通の制御、中空層と下部外側通路との連通の制御、下部外側通路と下階の中空層との連通の制御及び下部内側通路と下階の中空層との連通の制御を行うようになっており、中空層、下部内側通路、下部外側通路及び下階の中空層に夫々連通する開口を具備したケーシングと、回転により各開口の開閉を行うことができるようにケーシング内に回転自在に配されていると共に少なくとも二つの開口をまとめて同時的に閉鎖できる一個の連続な円弧面を有しているフラップと、フラップを回転させる回転手段とを具備している通気方向制御装置。
【請求項２】
建物壁に設けられた中空層と、中空層の下部の下部体によって画成されていると共に建物内に連通する下部内側通路と、下部体によって画成されていると共に建物外に連通する下部外側通路と、中空層の上部の上部体によって画成されていると共に建物内に連通する上部内側通路と、上部体によって画成されていると共に建物外に連通する上部外側通路と、前記中空層が設けられる階よりも上階に設けられた上階の中空層とを具備していると共に、下部内側通路が建物内の部屋に開口して連通しており、下部外側通路が建物外の外気に開口して連通しており、上部内側通路が空調機、熱交換器又は送風機に連通しており、上部外側通路が建物外の外気に開口して連通している建物の上部体に配されるようになっており、中空層と上部内側通路との連通の制御、中空層と上部外側通路との連通の制御、上部外側通路と上階の中空層との連通の制御及び上部内側通路と上階の中空層との連通の制御を行うようになっており、中空層、上部内側通路、上部外側通路及び上階の中空層に夫々連通する開口を具備したケーシングと、回転により各開口の開閉を行うことができるようにケーシング内に回転自在に配されていると共に少なくとも二つの開口をまとめて同時的に閉鎖できる一個の連続な円弧面を有しているフラップと、フラップを回転させる回転手段とを具備している通気方向制御装置。
【請求項３】
中空層は、建物壁の窓に設置される二重窓障子間の空間からなる請求項１又は２に記載の通気方向制御装置。
【請求項４】
二重窓障子の夫々の障子は、ガラス障子を具備している請求項３に記載の通気方向制御装置。
【請求項５】
下部体は、窓の下部に配される下枠体からなり、上部体は、窓の上部に配される上枠体からなる請求項３又は４に記載の通気方向制御装置。
【請求項６】
中空層は、建物壁の二重壁間の空間からなる請求項１又は２に記載の通気方向制御装置。
【請求項７】
下部体は、二重壁の下部に配される下部壁からなり、上部体は、二重壁の上部に配される上部壁からなる請求項６に記載の通気方向制御装置。
【請求項８】
ケーシングは、フラップの円弧面に対応した形状を有すると共に互いに隣接した少なくとも一対の円弧面を有しており、この一対の円弧面の間に開口が配されている請求項１から７のいずれか一項に記載の通気方向制御装置。
【請求項９】
ケーシングは、その円弧面の中央部に、フラップの円弧面が摺動自在に接触するシール部材を有している請求項８に記載の通気方向制御装置。
【請求項１０】
請求項１から９のいずれか一項に記載の通気方向制御装置のうちの少なくとも一つの通気方向制御装置を具備した建物。
【発明の詳細な説明】
【０００１】
【発明の属する技術分野】
本発明は、二重壁又は二重障子によって建物壁に設けられた中空層を利用して建物内外及び建物内の通気等を行うに好適な通気方向制御装置及びこれを具備した建物に関する。
【０００２】
【発明が解決しようとする課題】
最近の建物の窓では、ガラス障子を二重にしてその間に中空層（空気層）を設け、この中空層を断熱層として利用して、外気の温度変化に建物内の温度が影響されないようにし、建物内の温度維持のためのエネルギ消費量を少なくすることが試みられている。
【０００３】
ところで、中空層は通常密閉されているために、例えば夏場等の昼間には太陽光線の二重ガラス障子への照射で中空層内の空気の温度が著しく上昇して中空層内の空気が外気温以上となり、建物内の冷房に対する負荷が増大しエネルギ消費量の低減を期待する程得られない虞がある。
【０００４】
また最近の高層の建物の窓では、危険防止等のためにそれの開閉ができないようになっているために、外気が適温、適湿にも拘らず建物内に対して冷暖房を含めて空調を行う必要があり、これによるエネルギ消費量は莫大となっており、しかも、斯かる空調は建物内において空気を循環させるために、空気が一旦細菌等で汚染されると、好ましくない事態が生じる場合がある。
【０００５】
上記の問題は、建物壁を二重壁にして二重壁間に中空層を設ける場合にも同様に生じ得る。
【０００６】
本発明は、前記諸点に鑑みてなされたものであって、その目的とするところは、必要に応じて、二重ガラス障子等の二重窓障子又は二重壁間の中空層を換気及び空調に利用できる上に、外気を建物内に導入又は建物内の空気を外気に排出でき、しかも、省エネルギ化を実現できる通気方向制御装置及びこれを具備した建物を提供することにある。
【０００７】
【課題を解決するための手段】
本発明の第一の態様の通気方向制御装置は、三個以上の開口を具備したケーシングと、回転により各開口を開閉できるようにケーシング内に回転自在に配されているフラップと、フラップを回転させる回転手段とを具備している。
【０００８】
第一の態様の通気方向制御装置によれば、三個以上の開口をフラップの回転により開閉できるようになっているために、一つの開口を二重窓障子又は二重壁間の中空層に、他の一つの開口を建物内部に、更に他の一つの開口を建物外部、即ち外気に夫々連通させて、例えば一つの開口と他の一つの開口とを開放して、更に他の一つの開口をフラップにより閉鎖することにより、中空層と建物内部とを連通させることができ、中空層を換気又は空調の通路とでき、而して、中空層を換気の通路とする場合には、例えば夏場等に中空層の空気が外気温以上になることを防ぐことができて建物内の冷房に対する負荷を減少できる結果、省エネルギ化を実現でき、しかも、中空層を空調の通路とする場合には、例えば冬場等に中空層で暖められた空気を暖房に利用できる結果、これまた省エネルギ化を実現でき、また例えば一つの開口をフラップにより閉鎖する一方、他の一つの開口と更に他の一つの開口とを開放することにより、外気を建物内に導入又は建物内の空気を外気に排出できて、新鮮な外気でもって建物内を清浄にでき、更にまた例えば一つの開口と更に他の一つの開口とを開放する一方、他の一つの開口をフラップにより閉鎖することにより、外気と連通した中空層を換気又は空調の通路とでき、而して、中空層を換気の通路とする場合には、例えば夏場等に中空層の空気が外気温以上になることを防ぐことができて建物内の冷房に対する負荷を減少できる結果、省エネルギ化を実現でき、しかも、中空層を空調の通路とする場合には、例えば冬場等に中空層で暖められた空気を暖房に利用できる結果、これまた省エネルギ化を実現できる。
【０００９】
フラップは、本発明の第二の態様のように、開口を一個毎に閉鎖できるようになっていても、本発明の第三の態様のように、少なくとも二つの開口をまとめて同時的に閉鎖できるようになっていてもよい。即ち、フラップは、回転により各開口の開閉を行うことができるようにケーシング内に回転自在に配されていると共に少なくとも二つの開口をまとめて同時的に閉鎖できる一個の連続な円弧面を有していてもよい。
【００１０】
本発明の第四の態様の通気方向制御装置では、第一から第四のいずれかの態様の通気方向制御装置において、フラップは円弧面を有しており、ケーシングは、フラップの円弧面に対応した形状を有すると共に互いに隣接した少なくとも一対の円弧面を有しており、一対の円弧面の間に一個の開口が配されている。
【００１１】
なお、円弧面を有したフラップは中空であっても中実であってもよく、また、一対の円弧面を有したケーシングもまた中空であっても中実であってもよく、フラップ及びケーシングの夫々が中空であると軽量化を図り得、また、特にフラップが中空であるとフラップの回転を軽快に行わせることができる。
【００１２】
本発明の第五の態様の通気方向制御装置では、第四の態様の通気方向制御装置において、ケーシングは、その円弧面の中央部にフラップの円弧面が摺動自在に接触するシール部材を有している。
【００１３】
斯かるシール部材を有していると開口の閉鎖を確実にし得るのであるが、シール部材に代えて円弧面の中央部においてケーシングを膨出させて膨出部を形成して、この膨出部にフラップの円弧面が摺動自在に接触するようにしてもよい。なお、シール部材及び膨出部のいずれの場合も、ケーシングの円弧面の中央部に代えてケーシングの円弧面の端部にこれらを具備してケーシングを構成してもよい。
【００１４】
ケーシングは、好ましくは本発明の第六の態様の通気方向制御装置のように、一方の円弧面を有した第一のケーシング部と、他方の円弧面を有した第二のケーシング部と、第一及び第二のケーシング部と協働して他の二つの開口を形成する略平坦面を有した第三のケーシング部と、略平坦面の中央部に設けられていると共に円弧面の各端におけるフラップの部位が当接する一対の他のシール部材とを具備している。
【００１５】
第六の態様の通気方向制御装置において、各ケーシング部は軽量化を図るべく好ましくは中空体からなっている。
【００１６】
本発明の第七の態様の通気方向制御装置は、建物壁に設けられた中空層と、中空層の下部の下部体によって画成されていると共に建物内に連通する下部内側通路と、下部体によって画成されていると共に建物外に連通する下部外側通路と、中空層の上部の上部体によって画成されていると共に建物内に連通する上部内側通路と、上部体によって画成されていると共に建物外に連通する上部外側通路とを具備した建物の下部体に配されるようになっており、中空層と下部内側通路との連通の制御、中空層と下部外側通路との連通の制御及び下部内側通路と下部外側通路との連通の制御を行うようになっており、中空層、下部内側通路及び下部外側通路に夫々連通する開口を具備したケーシングと、回転により各開口を開閉できるようにケーシング内に回転自在に配されているフラップと、フラップを回転させる回転手段とを具備している。
【００１７】
第七の態様の通気方向制御装置によれば、フラップを回転させて、中空層に連通する開口と下部内側通路に連通する開口とを開放して、下部外側通路に連通する開口をフラップにより閉鎖することにより、中空層と建物内部とを連通させることができ、中空層を換気又は空調の通路とでき、而して、中空層を換気の通路とする場合には、例えば夏場等に中空層の空気が外気温以上になることを防ぐことができて建物内の冷房に対する負荷を減少できる結果、省エネルギ化を実現でき、しかも、中空層を空調の通路とする場合には、例えば冬場等に中空層で暖められた空気を暖房に利用できる結果、これまた省エネルギ化を実現でき、またフラップを回転させて、中空層に連通する開口をフラップにより閉鎖する一方、下部内側通路及び下部外側通路の夫々に連通する各開口を開放することにより、外気を建物内に導入又は建物内の空気を外気に排出できて、新鮮な外気でもって建物内を清浄にでき、更にまたフラップを回転させて、中空層に連通する開口と下部外側通路に連通する開口とを開放して、下部内側通路に連通する開口をフラップにより閉鎖することにより、例えば中空層を単なる通路又は空調の通路とでき、而して、中空層を単なる通路とする場合には、例えば夏場等に中空層の空気が外気温以上になることを防ぐことができて建物内の冷房に対する負荷を減少できる結果、省エネルギ化を実現でき、しかも、中空層を空調の通路とする場合には、例えば冬場等に中空層で暖められた空気を暖房に利用できる結果、これまた省エネルギ化を実現できる。
【００１８】
本発明の第八の態様の通気方向制御装置は、建物壁に設けられた中空層と、中空層の下部の下部体によって画成されていると共に建物内に連通する下部内側通路と、下部体によって画成されていると共に建物外に連通する下部外側通路と、中空層の上部の上部体によって画成されていると共に建物内に連通する上部内側通路と、上部体によって画成されていると共に建物外に連通する上部外側通路とを具備した建物の上部体に配されるようになっており、中空層と上部内側通路との連通の制御、中空層と上部外側通路との連通の制御及び上部内側通路と上部外側通路との連通の制御を行うようになっており、中空層、上部内側通路及び上部外側通路に夫々連通する開口を具備したケーシングと、回転により各開口を開閉できるようにケーシング内に回転自在に配されているフラップと、フラップを回転させる回転手段とを具備している。
【００１９】
本発明の第八の態様の通気方向制御装置によれば、フラップを回転させて、中空層に連通する開口と上部外側通路に連通する開口とを開放して、上部内側通路に連通する開口をフラップにより閉鎖することにより、中空層と建物外部とを連通させることができ、而して、例えば夏場等に中空層の空気が外気温以上になることを防ぐことができて建物内の冷房に対する負荷を減少できる結果、省エネルギ化を実現でき、またフラップを回転させて、中空層に連通する開口をフラップにより閉鎖する一方、上部内側通路及び上部外側通路の夫々に連通する各開口を開放することにより、外気を建物内に導入又は建物内の空気を外気に排出できて、新鮮な外気でもって建物内を清浄にできる上に、更にまたフラップを回転させて、中空層に連通する開口と上部内側通路に連通する開口とを開放して、上部外側通路に連通する開口をフラップにより閉鎖することにより、中空層を空調の通路とでき、而して、例えば冬場等に中空層で暖められた空気を暖房に利用できる結果、これまた省エネルギ化を実現できる。
【００２０】
好ましくは本発明の第九の態様の通気方向制御装置のように、下部内側通路は、建物内の部屋に開口して連通しており、下部外側通路は、建物外の外気に開口して連通しており、上部内側通路は、空調機、熱交換器又は送風機に連通しており、上部外側通路は、建物外の外気に開口して連通している。
【００２１】
中空層は、本発明の第十の態様の通気方向制御装置のように、建物壁の窓に設置される二重窓障子間の空間からなり、この場合、二重窓障子の夫々の障子は、本発明の第十一態様の通気方向制御装置のように、ガラス障子を具備している。
【００２２】
本発明の第十二態様の通気方向制御装置のように、好ましくは、下部体は、窓の下部に配される下枠体からなり、上部体は、窓の上部に配される上枠体からなる。
【００２３】
中空層は、上記に代えて、本発明の第十三の態様の通気方向制御装置のように、建物壁の二重壁間の空間からなっていてもよく、この場合、本発明の第十四の態様の通気方向制御装置のように、下部体は、二重壁の下部に配される下部壁からなり、上部体は、二重壁の上部に配される上部壁からなっているとよい。
【００２４】
上記の第七から第十四のいずれかの態様の通気方向制御装置においてもまた、好ましくは第十五から十八の態様の通気方向制御装置の夫々のように、フラップは、開口を一個毎に閉鎖できるようになっており、フラップは、円弧面を有しており、ケーシングは、フラップの円弧面に対応した形状を有すると共に互いに隣接した少なくとも一対の円弧面を有しており、一対の円弧面の間に開口が配されており、ケーシングは、その円弧面の中央部に、フラップの円弧面が摺動自在に接触するシール部材を有しており、ケーシングは、一方の円弧面を有した第一のケーシング部と、他方の円弧面を有した第二のケーシング部と、第一及び第二のケーシング部と協働して他の二つの開口を形成する略平坦面を有した第三のケーシング部と、略平坦面の中央部に設けられていると共に円弧面の各端におけるフラップの部位が当接する一対の他のシール部材とを具備している。
【００２５】
なお、ケーシングの開口並びに各通路及び中空層の両端部に、特に中空層の両端部に必要に応じて塵埃を通過させないフィルタを配置することが好ましい。
【００２６】
次に本発明及びその実施の形態を、図に示す好ましい例に基づいて更に詳細に説明する。なお、本発明はこれら例に何等限定されないのである。
【００２７】
【発明の実施の形態】
図１から図３において、本例の通気方向制御装置１を具備した建物２は、建物壁に設けられた中空層、本例では建物２の壁の窓３に設置される二重窓障子、本例では夫々の障子がガラス障子４及び５を具備している二重窓障子６間の中空層７と、中空層７の下部の下部体としての下枠８によって画成されていると共に建物２内の部屋９に開口して連通する下部内側通路１０と、下枠８によって画成されていると共に建物２外の外気１１に開口する下部外側通路１２と、中空層７の上部の上部体としての上枠１５によって画成されていると共に建物２内の空調機、熱交換器又は送風機１６に天井内のダクト１３を介して連通する上部内側通路１７と、上枠１５によって画成されていると共に建物２外の外気１１に開口して連通する上部外側通路１８と、下枠８によって画成されていると共に中空層７の下方の端部に開口する通路１９と、上枠１５によって画成されていると共に中空層７の上方の端部に開口する通路２０とを具備している。
【００２８】
本例では通気方向制御装置１は、建物２の下枠８に配されており、通路１９を介する中空層７と下部内側通路１０との連通の制御、中空層７と下部外側通路１２との連通の制御及び下部内側通路１０と下部外側通路１２との連通の制御を行うようになっており、中空層７、下部内側通路１０及び下部外側通路１２に夫々連通する開口２１、２２及び２３を具備したケーシング２４と、Ａ及びＢ方向の回転により開口２１、２２及び２３の夫々を開閉できるようにケーシング２４内の空間２５にＡ及びＢ方向に回転自在に配されているフラップ２６と、フラップ２６をＡ及びＢ方向に回転させる回転手段２７とを具備している。
【００２９】
ケーシング２４は、フラップ２６の円弧面３０に対応した形状を有する円弧面３１を有した中空のケーシング部３２と、フラップ２６の円弧面３０に対応した形状を有すると共に円弧面３１に隣接した円弧面３３を有した中空のケーシング部３４と、ケーシング部３２及び３４と協働して二つの開口２２及び２３を形成する略平坦面３５を有した中空のケーシング部３６と、円弧面３１及び３３の夫々の中央部においてケーシング部３２及び３４に嵌着されて設けられていると共にフラップ２６の円弧面３０が摺動自在に接触するシール部材３７及び３８と、略平坦面３５の中央部においてケーシング部３６の突起３９に対向して嵌着されて設けられていると共に円弧面３０の各端におけるフラップ２６の部位４０及び４１が当接する一対のシール部材４２及び４３と、ケーシング部３２及び３４の両端部にねじ４４等により固着された閉鎖板部４５及び４６とを具備しており、フラップ２６は、開口２１、２２及び２３を一個毎に閉鎖できる円弧面３０を有しており、一対の円弧面３１及び３３の間に開口２１が配されている。
【００３０】
フラップ２６は、円弧面３０を有した中空の扇形のフラップ本体５１と、フラップ本体５１が固着された回転自在軸５２とを具備しており、回転自在軸５２は、閉鎖板部４５及び４６の夫々に設けられた軸受５３及び５４を介して閉鎖板部４５及び４６の夫々にＡ及びＢ方向に回転自在に支持されている。
【００３１】
ガラス障子４及び５の夫々は、下枠８及び上枠１５に固定されており、上部内側通路１７、上部外側通路１８及び通路２０は、本例では上枠１５内において互いにそのまま連通されている。
【００３２】
回転手段２７は、本例では閉鎖板部４５に取付けられた電動モータ５５からなり、電動モータ５５の出力回転軸５６は回転自在軸５２に連結されており、電動モータ５５は、その作動で回転自在軸５２をＡ及びＢ方向に回転させるようになっている。なお、フラップ２６の回転後、フラップ本体５１による開口２１、２２及び２３の夫々の閉鎖を検出する図示しない検出器が設けられており、電動モータ５５は、この検出器からの検出信号によって作動を停止するようになっている。
【００３３】
下部内側通路１０の部屋９への開口端、下部外側通路１２の外気１１への開口端、通路１９及び２０の中空層７への開口端、上部内側通路１７の空調機、熱交換器又は送風機１６への連通端の夫々には、塵埃通過阻止用のフィルタ５７が配置されている。
【００３４】
以上のように建物２に用いられた通気方向制御装置１では、電動モータ５５の作動でフラップ２６を回転させて、図４の（ａ）に示すように、フラップ本体５１の円弧面３０を両シール部材３７及び３８に接触させて中空層７に連通する開口２１をフラップ本体５１により閉鎖する一方、下部内側通路１０及び下部外側通路１２の夫々に連通する開口２２及び２３の夫々を開放することにより、外気１１を建物２内の部屋９に導入又は建物２内の部屋９の空気を外気１１に排出できて、新鮮な外気でもって建物２内の部屋９を清浄にできる。
【００３５】
また通気方向制御装置１では、電動モータ５５の作動でフラップ２６を回転させて、図４の（ｂ）に示すように、中空層７に連通する開口２１と下部外側通路１２に連通する開口２３とを開放して、フラップ本体５１の円弧面３０をシール部材３７に接触させると共にフラップ本体５１の部位４０をシール部材４２に接触させて下部内側通路１０に連通する開口２２をフラップ本体５１により閉鎖することにより、中空層７を単なる通路又は空調の通路とでき、而して、中空層７を単なる通路とする場合には、中空層７の煙突効果により夏場等に中空層７の空気が外気温以上になることを防ぐことができて建物２内の部屋９の冷房に対する負荷を減少できる結果、省エネルギ化を実現でき、しかも、中空層７を空調の通路とする場合には、冬場等に中空層７で暖められた空気を暖房に利用できる結果、これまた省エネルギ化を実現できる。
【００３６】
更にまた通気方向制御装置１では、電動モータ５５の作動でフラップ２６を回転させて、図４の（ｃ）に示すように、中空層７に連通する開口２１と下部内側通路１０に連通する開口２２とを開放して、フラップ本体５１の円弧面３０をシール部材３８に接触させるとと共にフラップ本体５１の部位４１をシール部材４３に接触させて下部外側通路１２に連通する開口２３をフラップ本体５１により閉鎖することにより、中空層７と建物２内の部屋９とを連通させることができ、中空層７を換気又は空調の通路とでき、而して、中空層７を換気の通路とする場合には、中空層７の煙突効果により例えば夏場等に中空層７の空気が外気温以上になることを防ぐことができて建物２内の部屋９の冷房に対する負荷を減少できる結果、省エネルギ化を実現でき、しかも、中空層７を空調の通路とする場合には、例えば冬場等に中空層７で暖められた空気を暖房に利用できる結果、これまた省エネルギ化を実現できる。
【００３７】
以上の例は、通気方向制御装置１を下枠８に配した例であるが、これに代えて、図５に示すように、通気方向制御装置１を建物２の上枠１５に配して、中空層７と上部内側通路１７との連通の制御、中空層７と上部外側通路１８との連通の制御及び上部内側通路１７と上部外側通路１８との連通の制御を行うようにし、中空層７、上部内側通路１７及び上部外側通路１８に夫々連通する開口２１、２２及び２３を具備したケーシング２４と、回転により開口２１、２２及び２３の夫々を開閉できるようにケーシング２４内に回転自在に配されているフラップ２６と、フラップ２６を回転させる回転手段２７（図３参照）とを具備して通気方向制御装置１を構成してもよい。
【００３８】
図５に示すように建物２の上枠１５に配した通気方向制御装置１の場合、前記と同様に、フラップ２６のフラップ本体５１を回転させて、中空層７に連通する開口２１と上部外側通路１８に連通する開口２３とを開放して、上部内側通路１７に連通する開口２２をフラップ本体５１により閉鎖することにより、中空層７と建物２外の外気１１とを連通させることができ、而して、例えば夏場等に中空層７の空気が外気温以上になることを防ぐことができて建物２内の部屋９の冷房に対する負荷を減少できる結果、省エネルギ化を実現でき、またフラップ本体５１を回転させて、中空層７に連通する開口２１をフラップ本体５１により閉鎖する一方、上部内側通路１７及び上部外側通路１８の夫々に連通する各開口２２及び２３を開放することにより、外気１１を建物２内の空調機、熱交換器又は送風機１６に天井内のダクト１３を介して導入又は建物２内の空気を天井内のダクト１３を介して外気１１に排出できて、新鮮な外気でもって建物２内を清浄にでき、更にまたフラップ本体５１を回転させて、中空層７に連通する開口２１と上部内側通路１７に連通する開口２２とを開放して、上部外側通路１８に連通する開口２３をフラップ本体５１により閉鎖することにより、中空層７を空調等の通路とでき、而して、例えば冬場等に中空層７で暖められた空気を暖房に利用できる結果、これまた省エネルギ化を実現できる。
【００３９】
また図５に示すように、通気方向制御装置１を建物２の上枠１５に配すると共に建物２の下枠８にも配して、中空層７と上部内側通路１７との連通の制御、中空層７と上部外側通路１８との連通の制御及び上部内側通路１７と上部外側通路１８との連通の制御並びに中空層７と下部内側通路１０との連通の制御、中空層７と下部外側通路１２との連通の制御及び下部内側通路１０と下部外側通路１２との連通の制御を適宜行うようにし、上記の効果が好ましく最適に得られるようにしてもよい。
【００４０】
また上記の例では、三個の開口２１、２２及び２３を具備したケーシング２４でもって、フラップ２６により開口２１、２２及び２３を一個毎に閉鎖するようにした通気方向制御装置１であるが、これに代えて、図６の（ａ）から（ｄ）に示すように、四個の開口７１から７４を具備したケーシング７５でもって、フラップ２６の円弧面３０により少なくとも二つの開口をまとめて同時的に閉鎖する、図６の（ａ）の場合には、開口７１及び７２を同時的に閉鎖、図６の（ｂ）の場合には、開口７２及び７３を同時的に閉鎖、図６の（ｃ）の場合には、開口７３及び７４を同時的に閉鎖、そして図６の（ｄ）の場合には、開口７４及び７１を同時的に閉鎖するようにした通気方向制御装置７６であってもよい。この場合には、例えば開口７３を中空層７に、開口７４を部屋９に、開口７１を下階の中空層７に、そして開口７２を外気１１に夫々連通するようにしてもよい。
【００４１】
【発明の効果】
本発明によれば、必要に応じて、二重ガラス障子等の二重窓障子又は二重壁間の中空層を換気及び空調に利用できる上に、外気を建物内に導入又は建物内の空気を外気に排出でき、しかも、省エネルギ化を実現できる通気方向制御装置及びこれを具備した建物を提供することができる。
【図面の簡単な説明】
【図１】本発明の実施の形態の好ましい例の断面図である。
【図２】図１に示す例の通気方向制御装置の一部断面斜視図である。
【図３】図１に示す例の通気方向制御装置の断面説明図である。
【図４】図１に示す例の動作説明図である。
【図５】本発明の実施の形態の好ましい他の例の断面図である。
【図６】本発明の実施の形態の好ましい更に他の例の断面説明図である。
【符号の説明】
１  通気方向制御装置
２  建物
３  窓
４、５  ガラス障子
６  二重窓障子
７  中空層
８  下枠
９  部屋
１０  下部内側通路
１１  外気
１２  下部外側通路
【図１】
0004045796.tif 000002
【図２】
0004045796.tif 000003
【図３】
0004045796.tif 000004
【図４】
0004045796.tif 000005
【図５】
0004045796.tif 000006
【図６】
0004045796.tif 000007